(57)【要約】【課題】一の電気部品が、隣接するように配置された複数のソケットを跨ぐように収容可能に構成され、その一の電気部品が複数のソケットを介して試験・検査等をすることができるのに好適な電気部品用ソケット及びこのソケットの使用方法を提供する。【解決手段】配線基板上に配設されると共に、電気部品が収容されるソケット本体１５を有し、ソケット本体１５に配設されたコンタクトピン１８を介して配線基板と電気部品とが電気的に接続されるＩＣソケット１１において、ソケット本体１５には、電気部品が収容されるフローティングプレート２５が設けられ、フローティングプレート２５は、隣に配置されるＩＣソケット１１のフローティングプレート２５の高さと略同一の高さを有し、ＩＣソケット１１を複数並べて配設した場合に、電気部品を各フローティングプレート２５に跨らせて載置可能とした。【選択図】　　図７
2004071430.tif 000002
【特許請求の範囲】
【請求項１】
配線基板上に配設されると共に、電気部品が収容されるソケット本体を有し、該ソケット本体に配設されたコンタクトピンを介して前記配線基板と電気部品とが電気的に接続される電気部品用ソケットにおいて、
前記ソケット本体には、前記電気部品が収容される収容面部が設けられ、該収容面部は、隣に配置される電気部品用ソケットの収容面部の高さと略同一の高さを有し、前記電気部品用ソケットを複数並べて配設した場合に、電気部品を各収容面部に跨らせて載置可能としたことを特徴とする電気部品用ソケット。
【請求項２】
前記収容面部は、コンタクトピンが挿通される挿通孔が形成され、上下動自在で、上方に付勢されたフローティングプレートであることを特徴とする請求項１に記載の電気部品用ソケット。
【請求項３】
前記収容面部の端縁部は、隣に配置される電気部品用ソケットの収容面部の端縁部と接近する位置となるように形成されていることを特徴とする請求項１又は２に記載の電気部品用ソケット。
【請求項４】
前記コンタクトピンは、前記収容面部の前記端縁部まで配置されていることを特徴とする請求項３に記載の電気部品用ソケット。
【請求項５】
前記ソケット本体に、カバー部材が回動自在に配設され、該カバー部材に前記電気部品を押圧する押圧部材が配設され、該押圧部材の押圧部が左右方向に沿って複数列配設されたことを特徴とする請求項１乃至４の何れか一つに記載の電気部品用ソケット。
【請求項６】
配線基板上に配設されると共に、電気部品が収容されるソケット本体を有し、該ソケット本体に配設されたコンタクトピンを介して前記配線基板と電気部品とが電気的に接続される電気部品用ソケットにおいて、
前記ソケット本体は、複数のコンタクトピンが配設されるコンタクトユニットを有し、該コンタクトユニットの一端部側に、カバー支持部材が配設され、該カバー支持部材にカバー部材が回動自在に設けられ、
前記コンタクトユニットの他端部側に、前記カバー部材の先端部側が係止される係止部材が設けられ、
前記ソケット本体は、前記コンタクトユニット、前記カバー支持部材及び前記係止部材の３つに分割されていることを特徴とする電気部品用ソケット。
【請求項７】
前記コンタクトユニットには、前記電気部品が収容される収容面部が設けられ、該収容面部は、隣に配置される電気部品用ソケットの収容面部の高さと略同一の高さを有し、前記電気部品用ソケットを複数並べて配設した場合に、電気部品を各収容面部に跨らせて載置可能としたことを特徴とする請求項６に記載の電気部品用ソケット。
【請求項８】
請求項１乃至５、請求項７の何れか一つに記載の電気部品用ソケットを配線基板上に、複数隣接して配設し、該各電気部品用ソケットの各収容面部上に、電気部品を跨らせて収容するようにしたことを特徴とする電気部品用ソケットの使用方法。
【請求項９】
請求項１乃至５、請求項７の何れか一つに記載の電気部品用ソケットを配線基板上に、複数隣接して配設することにより、該各電気部品用ソケットの各収容面部を、端縁部が略接するように配置し、該各収容面部上に、電気部品を跨らせて収容するようにしたことを特徴とする電気部品用ソケットの使用方法。
【発明の詳細な説明】
【０００１】
【発明の属する技術分野】
この発明は、半導体装置等の電気部品を着脱自在に保持し、電気部品を電気的に試験、検査するために使用される電気部品用ソケット及びこのソケットの使用方法に関するものである。
【０００２】
【従来の技術】
従来からこの種のものとしては、「電気部品」であるＩＣパッケージを着脱自在に収容して、ＩＣパッケージのバーンイン試験等を行うための「電気部品用ソケット」としてのＩＣソケットがある。
【０００３】
このＩＣソケットとしては、ＩＣパッケージを収容するソケット本体に複数のコンタクトピンが配設されると共に、このソケット本体にＩＣパッケージを押圧するカバー部材が開閉自在に設けられている。
【０００４】
このＩＣソケットを予めプリント基板上に配設した状態で、カバー部材を開いてＩＣパッケージをそのソケット本体上に収容し、その後、カバー部材を閉じることにより、ＩＣパッケージとプリント基板とをコンタクトピンを介して電気的に接続し、この状態で、ＩＣパッケージのバーンイン試験等を行うようにしている。
【０００５】
そして、ＩＣパッケージは、樹脂でモールドされたパッケージ本体から端子が露出しており、パッケージ本体の側方に平板状、ガルウイング形状又はＬ字状等の形状の細長板状の端子が延長されたものや、パッケージ本体の下面に平板状、球状又は棒状の端子が露出したものがある。
【０００６】
また、これらのＩＣパッケージは、その製造方法によっては、製造途中の工程において、ＩＣパッケージが複数集合された長尺のユニットとして形成されている工程があり、この場合、複数のＩＣパッケージが集合された長尺のユニットを裁断等することにより、切り離して個々のＩＣパッケージが形成される。
【０００７】
【発明が解決しようとする課題】
しかしながら、このような従来のものにあっては、完成した一つのＩＣパッケージに対して、一つのＩＣソケットを用いてバーンイン試験等を行うのが一般的であり、ＩＣソケットを複数隣接して配設し、ＩＣパッケージが複数集合された長尺のユニット状のＩＣパッケージ等、長尺の電気部品を複数のソケットに跨らせるように収容して試験できるようなＩＣソケットは提案されていなかった。
【０００８】
ちなみに、ＩＣソケットを複数並べた例としては、実開昭６１−１２８９号公報に記載されたようなものがあるが、長く形成された電気部品を複数並べられたＩＣソケットに跨るようにセットして、同時に試験等を行うようなものではない。
【０００９】
また、上述のようなＩＣパッケージが複数集合された長尺のユニット状ＩＣパッケージでない、通常のＩＣパッケージを複数のＩＣソケットに跨らせるように収容可能に形成したＩＣソケットについても提案されてはいない。
【００１０】
そこで、この発明は、一の電気部品が、隣接するように配置された複数のソケットを跨ぐように収容可能に構成され、その一の電気部品が複数のソケットを介して試験・検査等をすることができるのに好適な電気部品用ソケット及びこのソケットの使用方法を提供することを課題としている。
【００１１】
【課題を解決するための手段】
かかる課題を解決するため、請求項１に記載の発明は、配線基板上に配設されると共に、電気部品が収容されるソケット本体を有し、該ソケット本体に配設されたコンタクトピンを介して前記配線基板と電気部品とが電気的に接続される電気部品用ソケットにおいて、前記ソケット本体には、前記電気部品が収容される収容面部が設けられ、該収容面部は、隣に配置される電気部品用ソケットの収容面部の高さと略同一の高さを有し、前記電気部品用ソケットを複数並べて配設した場合に、電気部品を各収容面部に跨らせて載置可能とした電気部品用ソケットとしたことを特徴とする。
【００１２】
請求項２に記載の発明は、請求項１に記載の構成に加え、前記収容面部は、コンタクトピンが挿通される挿通孔が形成され、上下動自在で、上方に付勢されたフローティングプレートであることを特徴とする。
【００１３】
請求項３に記載の発明は、請求項１又は２に記載の構成に加え、前記収容面部の端縁部は、隣に配置される電気部品用ソケットの収容面部の端縁部と接近する位置となるように形成されていることを特徴とする。
【００１４】
請求項４に記載の発明は、請求項３に記載の構成に加え、前記コンタクトピンは、前記収容面部の前記端縁部まで配置されていることを特徴とする。
【００１５】
請求項５に記載の発明は、請求項１乃至４の何れか一つに記載の構成に加え、前記ソケット本体に、カバー部材が回動自在に配設され、該カバー部材に前記電気部品を押圧する押圧部材が配設され、該押圧部材の押圧部が左右方向に沿って複数列配設されたことを特徴とする。
【００１６】
請求項６に記載の発明は、配線基板上に配設されると共に、電気部品が収容されるソケット本体を有し、該ソケット本体に配設されたコンタクトピンを介して前記配線基板と電気部品とが電気的に接続される電気部品用ソケットにおいて、前記ソケット本体は、複数のコンタクトピンが配設されるコンタクトユニットを有し、該コンタクトユニットの一端部側に、カバー支持部材が配設され、該カバー支持部材にカバー部材が回動自在に設けられ、前記コンタクトユニットの他端部側に、前記カバー部材の先端部側が係止される係止部材が設けられ、前記ソケット本体は、前記コンタクトユニット、前記カバー支持部材及び前記係止部材の３つに分割されている電気部品用ソケットとしたことを特徴とする。
【００１７】
請求項７に記載の発明は、請求項６に記載の構成に加え、前記コンタクトユニットには、前記電気部品が収容される収容面部が設けられ、該収容面部は、隣に配置される電気部品用ソケットの収容面部の高さと略同一の高さを有し、前記電気部品用ソケットを複数並べて配設した場合に、電気部品を各収容面部に跨らせて載置可能としたことを特徴とする。
【００１８】
請求項８に記載の発明は、請求項１乃至５、請求項７の何れか一つに記載の電気部品用ソケットを配線基板上に、複数隣接して配設し、該各電気部品用ソケットの各収容面部上に、電気部品を跨らせて収容するようにした電気部品用ソケットの使用方法としたことを特徴とする。
【００１９】
請求項９に記載の発明は、請求項１乃至５、請求項７の何れか一つに記載の電気部品用ソケットを配線基板上に、複数隣接して配設することにより、該各電気部品用ソケットの各収容面部を、端縁部が略接するように配置し、該各収容面部上に、電気部品を跨らせて収容するようにした電気部品用ソケットの使用方法としたことを特徴とする。
【００２０】
【発明の実施の形態】
以下、この発明の実施の形態について説明する。
【００２１】
［発明の実施の形態１］
図１乃至図１２には、この発明の実施の形態１を示す。
【００２２】
まず構成を説明すると、図中符号１１は、いわゆるクラムシェルタイプと称される「電気部品用ソケット」としてのＩＣソケットで、このＩＣソケット１１は、電気部品の性能試験を行うために、この電気部品の端子と、測定器（テスター）のプリント配線基板１３との電気的接続を図るものである。
【００２３】
本実施の形態のＩＣソケット１１に収容される電気部品は、ソケット前後方向（図１中、Ｙ方向）に沿う方向に２列、又、ソケット幅方向（図１中、Ｘ方向）に沿う方向に所定の列となるように、ＩＣパッケージ本体が所定の間隔を有して配設されたソケット幅方向に長尺なユニット状のＩＣパッケージである。
【００２４】
各ＩＣパッケージ本体のソケット前後方向に沿う一対の側辺部には、複数の細長い短冊状の端子が所定の間隔を有して対向するように配設されており、本ユニット状のＩＣパッケージのソケット幅方向に沿う方向には４列の端子が設けられている。
【００２５】
また、本ユニット状のＩＣパッケージのソケット幅方向に沿う一側部には、位置決め孔が所定の間隔を有して２つ形成されており、これらの位置決め孔に後述するＩＣソケット１１の位置決めピン２３ｂが挿通されることにより、ＩＣソケット１１上で位置決めされるようになっている。
【００２６】
さらに、そのＩＣソケット１１は、図１及び図２に示すように、プリント配線基板１３上に装着されるソケット本体１５を有し、このソケット本体１５にはカバー部材１６が回動自在に設けられている。
【００２７】
そのソケット本体１５は、多数のコンタクトピン１８が配設されるコンタクトユニット１９と、このコンタクトユニット１９の後端部側（図２中右端部側）に設けられたカバー支持部材２０と、そのコンタクトユニット１９の先端部側（図２中左端部）に設けられた係止部材２１とに３分割されている。
【００２８】
そのコンタクトユニット１９は、図３乃至図５に示すように、６枚のプレート２３…が重ね合わされると共に、これらプレート２３…の上側に「収容面部」としてのフローティングプレート２５が上下動自在に配設されて構成されている。
【００２９】
それらプレート２３…には、コンタクトピン１８が挿通されて保持される貫通孔２３ａ…が形成される一方、フローティングプレート２５には、コンタクトピン１８が挿通される貫通孔２５ａが形成されている。
【００３０】
これらプレート２３…は、図４に示すように、上の４枚がリベット２６により固定され、下の３枚がボルト２７・ナット２８により固定されることにより、６枚が重ね合わされた状態で固定されている。そのボルト２７を外して、下の２枚のプレート２３…を外すことにより、コンタクトピン１８を交換できるようになっている。
【００３１】
下の２枚のプレート２３…は、図４に示すように、前後方向（図４中左右方向）の幅が、それらより上のプレート２３…及びフローティングプレート２５より広く形成され、側方に突出した部分に、電気部品の位置決めを行う位置決めピン２３ｂが形成されている。また、このプレート２３には、下方に突出する嵌合ピン２３ｃ及びボルト２３ｄが設けられ、その嵌合ピン２３ｃがプリント配線基板１３の図示しない位置決め孔に嵌合されることにより、所定の位置に位置決めされた状態で、そのボルト２３ｄが図２に示すナット３２に螺合されることにより、プリント配線基板１３及び絶縁プレート３３に固定されるようになっている。
【００３２】
また、コンタクトピン１８は、図６に示すように、導電性を有する材料で形成され、筒体１８ａの上部側に上側接触部１８ｂが、又、下部側に下側接触部１８ｃがそれぞれ上下動自在に挿入されると共に、この筒体１８ａ内に収容された図示省略のスプリングにより両接触部１８ｂ，１８ｃが互いに離間する方向に付勢されるようになっている。
【００３３】
このコンタクトピン１８の筒体１８ａが、複数のプレート２３…の貫通孔２３ａ内に収容され、各プレート２３…の貫通孔２３ａの径を適宜変更することにより、その筒体１８ａが上下に移動しない、つまり、コンタクトピン１８が抜け出ないように保持されている。
【００３４】
そして、このコンタクトピン１８の上側接触部１８ｂが、フローティングプレート２５の貫通孔２５ａに挿通されて、この上側接触部１８ｂが電気部品の端子に接触されるようになっている。
【００３５】
また、下側接触部１８ｃは、下の２枚のプレート２３…の貫通孔２３ａに挿通され、プリント配線基板１３の電極に接触されるようになっている。
【００３６】
さらに、フローティングプレート２５は、図５に示すように、プレート２３に対してガイドピン２４により上下動自在に配設され、スプリング２２により上方に付勢され、このフローティングプレート２５の上側に電気部品が収容されるようになっている。
【００３７】
このフローティングプレート２５は、図７に示すように、端縁部２５ｂが隣に配置されるＩＣソケット１１のフローティングプレート２５の端縁部２５ｂと接近する位置となるように形成されている。そして、この端縁部２５ｂまでコンタクトピン１８が配置され、多数のコンタクトピン１８は、電気部品の端子の配列に合致するように、ソケット前後方向（図１中、Ｙ方向）に沿う列に、４列に配設されている。各列においては、コンタクトピン１８が千鳥状に配列され、各コンタクトピン１８は、一本の端子に対して、一つ接触するように配設されている。
【００３８】
このＩＣソケット１１のフローティングプレート２５は、隣に同じＩＣソケット１１を並べて配置した場合には、このＩＣソケット１１と略同一平面上で、略連続した状態となり、長尺の電気部品が各フローティングプレート２５に跨らせて載置可能となるように構成されている。
【００３９】
また、このフローティングプレート２５の両端縁部２５ｂは、凹凸形状を呈し、一方の端縁部２５ｂの凹凸形状が、他方の端縁部２５ｂの凹凸形状に嵌合されるような形状に形成され、複数のＩＣソケット１１を隣接して配設した場合には、隣接したフローティングプレート２５の凹凸形状同士が互いに嵌合されるように構成されている。但し、各フローティングプレート２５はそれぞれ独立して上下動されるようになっているため、隣接するフローティングプレート２５の間には、僅かに隙間Ｃが設けられている（図８参照）。
【００４０】
ここで、コンタクトピン１８は、図３に示すように、フローティングプレート２５の端縁部２５ｂまで配設されており、更に、図７及び図８に示すように、ＩＣソケット１１が並べられて配設される場合には、一のフローティングプレート２５の端縁部２５ｂに配設されたコンタクトピン１８とこれに隣接するフローティングプレート２５の端縁部２５ｂに配設されたコンタクトピン１８の間隔（図８中、ｄ１）は、一のフローティングプレート２５に配設されている隣接するコンタクトピン１８間の間隔（図８中、ｄ２）、言い換えれば電気部品の端子の間隔と同一の間隔となるように形成されている。
【００４１】
さらに、カバー支持部材２０は、図１及び図２に示すように、位置決めピン２９により、コンタクトユニット１９のプレート２３に着脱可能に取り付けられるようになっていると共に、ボルト３０・ナット３１によりプリント配線基板１３及び絶縁プレート３３に取り付けられるようになっている。
【００４２】
そして、このカバー支持部材２０には、カバー部材１６が、図１及び図２に示すように、回動軸３４により回動自在に配設され、スプリング３５により開く方向に付勢され、先端部に設けられたストッパ部材３６が、係止部材２１に形成された被係止部２１ａに係脱されるようになっている。このストッパ部材３６は、スプリング３７により係止方向（図２中反時計回り）に付勢されている。
【００４３】
そのカバー部材１６には、支持部材４０がガイドピン３９により図２に示す閉じた状態で上下方向に移動自在となるように配設され、この状態で、スプリング４１により下方に付勢されている。
【００４４】
そして、その支持部材４０には、押圧部材４２が２カ所、軸４３により支持部材４０に対して揺動自在にそれぞれ配設され、それら押圧部材４２に形成された押圧部４２ａにより、電気部品が押圧されるようになっている。
【００４５】
その押圧部４２ａは、一つの押圧部材４２に２列形成され、コンタクトピン１８の配列に従って左右方向（図１中上下方向）に沿って形成されている。
【００４６】
一方、係止部材２１は、カバー支持部材２０と同様に、図２に示すように、位置決めピン２９により、コンタクトユニット１９のプレート２３に着脱可能に取り付けられるようになっていると共に、ボルト３０・ナット３１によりプリント配線基板１３及び絶縁プレート３３に取り付けられるようになっている。
【００４７】
次に、かかるＩＣソケット１１の使用方法について説明する。
【００４８】
まず、ＩＣソケット１１のプリント配線基板１３への組み付けについて説明する。
【００４９】
ＩＣソケット１１のソケット本体１５がコンタクトユニット１９、カバー支持部材２０及び係止部材２１に分解された状態から、最初に、図９に示すように、コンタクトユニット１９をプリント配線基板１３に固定する。ここでは、図７に示すように、コンタクトユニット１９を長尺の電気部品を収容可能な長さとなるように、例えば本実施の形態では計５個、互いに隣接させて配設する。
【００５０】
このコンタクトユニット１９のプリント配線基板１３への取付けは、図９に示すように嵌合ピン２３ｃをプリント配線基板１３の嵌合孔（図示せず）に嵌合させて所定の位置に配置すると共に、ボルト２３ｄ・ナット３２により、プリント配線基板１３及び絶縁プレート３３にコンタクトユニット１９を固定する。
【００５１】
この取付状態では、フローティングプレート２５の端縁部２５ｂの凹凸形状が隣接するフローティングプレート２５の端縁部２５ｂの凹凸形状に嵌合するように配置される。
【００５２】
次いで、この状態から、カバー支持部材２０及び係止部材２１を配設する。図１０に示すように、カバー支持部材２０には、カバー部材１６が予め取り付けられた状態で、このカバー支持部材２０を位置決めピン２９により、コンタクトユニット１９のプレート２３に取り付け、コンタクトユニット１９に対してカバー支持部材２０を位置決めし、ボルト３０・ナット３１により、プリント配線基板１３及び絶縁プレート３３に固定する。
【００５３】
また、係止部材２１も同様に、位置決めピン２９により、コンタクトユニット１９のプレート２３に取り付け、コンタクトユニット１９に対して係止部材２１を位置決めし、ボルト３０・ナット３１により、プリント配線基板１３及び絶縁プレート３３に固定する（図１１参照）。
【００５４】
このようにすれば、プリント配線基板１３に対してコンタクトユニット１９は、嵌合ピン２３ｃにより、プリント配線基板１３の所定位置に配置されると共に、カバー支持部材２０及び係止部材２１は、そのコンタクトユニット１９を基準に取り付けられる。
【００５５】
このようにして、５個のＩＣソケット１１をプリント配線基板１３上に隣接して配設することができる（図１２参照）。
【００５６】
次に、電気部品の試験等を行う場合について説明する。
【００５７】
図１２に示すように、５個のＩＣソケット１１のカバー部材１６を開いた状態で、この５個分の長さを有する電気部品をフローティングプレート２５上に、位置決めピン２３ｂにより所定の位置に位置決めして収容する。
【００５８】
その後、カバー部材１６を閉じて、押圧部４２ａで、電気部品の複数列の端子の上側を押圧する。そのカバー部材１６は、ストッパ部材３６が係止部材２１の被係止部２１ａに係止されることにより、完全に閉じられることとなる。
【００５９】
そのカバー部材１６に設けられた支持部材４０及びスプリング４１により、電気部品が所定の力で押圧されると共に、押圧部材４２が軸４３により揺動自在に設けられることにより、４列の押圧部４２ａを電気部品の４列の端子に良好に当てることができて、均等な力で押圧することができる。
【００６０】
この押圧力により、フローティングプレート２５が図６の（ａ）から（ｂ）に示すように、スプリング２２の付勢力に抗して下降させられて、コンタクトピン１８の上側接触部１８ｂが電気部品の端子に所定の接圧で接触され、このコンタクトピン１８を介してプリント配線基板１３に電気的に接続させることができ、電気部品のバーンイン試験等が行われることとなる。
【００６１】
試験が終了した電気部品を取り出す場合には、上述とは逆に、ストッパ部材３６を回動させて係止状態を解除した後、カバー部材１６を開くことにより、電気部品を取り出すことができる。
【００６２】
このようなものにあっては、フローティングプレート２５は、各々略同一の高さを有するので、隣に配置されたＩＣソケット１１のフローティングプレート２５と略同一平面上となり、隣接するフローティングプレート２５との間には障害となるものが存在しないため、長板状の電気部品を各フローティングプレート２５に跨らせて収容可能とすることができる。従って、各ＩＣソケット１１毎に独立したＩＣパッケージを収容して試験するものと異なり、複数のＩＣソケット１１に跨る長板状の電気部品でも良好に試験を行うことができる。
【００６３】
また、隣接して配設されるＩＣソケット１１の配設数を変えることにより、電気部品の長さに適宜対応させることができる。
【００６４】
さらに、フローティングプレート２５の端縁部２５ｂは、隣に配置されるＩＣソケット１１のフローティングプレート２５の端縁部２５ｂと接近する位置となるように形成されているため、各フローティングプレート２５の間に大きな隙間が生じることがないことから、電気部品を跨らせて収容するのに好都合である。
【００６５】
そして、このフローティングプレート２５の端縁部２５ｂまでコンタクトピン１８が配置され、更に、隣接するフローティングプレート２５の端縁部２５ｂのコンタクトピン１８間の間隔が、電気部品の端子の間隔と同一とされているため、隣接するフローティングプレート２５の境界部分においても、電気部品の端子にコンタクトピン１８を確実に接触させることができて試験を行うことができる。
【００６６】
さらに、押圧部材４２の押圧部４２ａが左右方向に沿って複数列形成されているため、この押圧部４２ａにより、複数列形成された電気部品の端子をコンタクトピン１８に良好に押圧することができる。
【００６７】
さらにまた、ソケット本体１５は、コンタクトユニット１９と、このコンタクトユニット１９の両側に設けられたカバー支持部材２０及び係止部材２１とで３分割されているため、コンタクトユニット１９の側方（フローティングプレート２５の端縁部２５ｂの側方）に枠の一部が存在することなく、フローティングプレート２５を互いに接近させて配設することができ、長尺の電気部品を跨らせて配設することができ、その電気部品の試験等を良好に行うことができる。また、３分割されたものの内の一部が劣化等した場合等には、劣化したもののみ交換すれば良く、交換を簡単に行うことができると共に、メンテナンスに要する費用を低減することができる。
【００６８】
また、収容される一の電気部品に対して、ＩＣソケット１１（複数のコンタクトピン１８を収容するコンタクトユニット１９）を複数並べて配設するように構成したので、ＩＣソケットが一体に設けられたものに比べて、コンタクトピン１８を交換する際に、単位ＩＣソケットあたりのコンタクトピン１８のピン数が少ないので、コンタクトユニット１９を分解し、コンタクトピン１８を交換する交換作業がやり易い。また、ＩＣソケット１１（コンタクトユニット１９）を成型品で形成する場合には、金型を小型化することができるので、金型の製造コストを下げることができる。
【００６９】
［発明の実施の形態２］
図１３乃至図１５には、この発明の実施の形態２を示す。
【００７０】
この実施の形態２は、コンタクトユニット１９に対するカバー支持部材２０及び係止部材２１の組付け構造、及び、カバー部材１６に取り付けられた押圧部材４２の構造等が、実施の形態１と相違している。
【００７１】
すなわち、カバー支持部材２０と係止部材２１には、コンタクトユニット１９の係止凹部１９ａに係止される係止突部２０ａ，２１ｂがそれぞれ形成されると共に、プリント配線基板１３に嵌合される嵌合ピン２３ｃが形成されている。
【００７２】
また、これらカバー支持部材２０と係止部材２１は、ボルト４６・ナット４７により、プリント配線基板１３，絶縁プレート３３及びプリント配線基板１３の反りを防止する補強プレート４８に取り付けられるようになっている。
【００７３】
そして、コンタクトユニット１９を嵌合ピン２３ｃにより、プリント配線基板１３に位置決めして取り付けた後、カバー支持部材２０と係止部材２１とをボルト４６・ナット４７で、プリント配線基板１３等に取り付けることにより、カバー支持部材２０と係止部材２１との係止突部２０ａ，２１ｂが、コンタクトユニット１９の係止凹部１９ａに上方から係止することにより、そのコンタクトユニット１９のプリント配線基板１３への取り付けが完了する。
【００７４】
従って、コンタクトユニット１９をプリント配線基板１３にねじ止めする必要なく、着脱作業を簡単に行うことができる。
【００７５】
一方、押圧部材４２は、実施の形態１では一つのカバー部材１６に２つ設けられていたが、この実施の形態では、一つ設けられており、この一つの押圧部材４２に４列の押圧部４２ａが形成されている。
【００７６】
他の構成及び作用は実施の形態１と同様であるので説明を省略する。
【００７７】
なお、上記実施の形態では、「電気部品用ソケット」としてＩＣソケット１１に、この発明を適用したが、これに限らず、他の装置にも適用できることは勿論である。また、ＩＣソケット１１は、上記実施の形態の電気部品用のものに限らず、ＢＧＡ（Ｂａｌｌ　Ｇｒｉｄ　Ａｒｒａｙ），ＬＧＡ（Ｌａｎｄ　Ｇｒｉｄ　Ａｒｒａｙ）等、他のタイプの電気部品（ＩＣパッケージ）を収容するＩＣソケットにもこの発明を適用できることは勿論である。
【００７８】
また、上記実施の形態では、長尺状の電気部品として複数個のＩＣパッケージが集合されたものに適応した形態を説明したが、本発明はこれに限定されるものでなく、１個（単体）の電気部品を、複数のＩＣソケットで試験する場合にも好適に用いることができる。
【００７９】
【発明の効果】
以上説明してきたように、請求項１に記載の発明によれば、ソケット本体には、電気部品が収容される収容面部が設けられ、収容面部は、隣に配置される電気部品用ソケットの収容面部の高さと略同一の高さを有し、前記電気部品用ソケットを複数並べて配設した場合に、電気部品を各収容面部に跨らせて載置可能としたため、各電気部品用ソケット毎に独立したＩＣパッケージを収容して試験するものと異なり、複数の電気部品用ソケットに跨る長尺状の電気部品でも良好に試験等を行うことができる。また、電気部品用ソケットの配設数を変えることにより、電気部品の長さに適宜対応させることができる。
【００８０】
請求項３に記載の発明によれば、収容面部の端縁部は、隣に配置される電気部品用ソケットの収容面部の端縁部と接近する位置となるように形成されているため、各収容面部の間に大きな隙間が生じることがないことから、電気部品を跨らせて収容するのに好都合である。
【００８１】
請求項４に記載の発明によれば、コンタクトピンは、収容面部の端縁部まで配置されているため、隣接する収容面部の境界部分においても、電気部品端子にコンタクトピンを接触させることができて試験等を行うことができる。
【００８２】
請求項５に記載の発明によれば、ソケット本体に、カバー部材が回動自在に配設され、カバー部材に電気部品を押圧する押圧部材が配設され、押圧部材の押圧部が左右方向に沿って複数列配設されているため、この押圧部により、複数列形成された端子をコンタクトピンに良好に押圧することができる。
【００８３】
請求項６に記載の発明によれば、ソケット本体は、複数のコンタクトピンが配設されるコンタクトユニットを有し、コンタクトユニットの一端部側に、カバー支持部材が配設され、カバー支持部材にカバー部材が回動自在に設けられ、コンタクトユニットの他端部側に、カバー部材の先端部側が係止される係止部材が設けられ、ソケット本体は、コンタクトユニット、カバー支持部材及び係止部材の３つに分割されているため、コンタクトユニットの側方（収容面部の端縁部の側方）に枠の一部が存在することなく、収容面部を互いに接近させて配設することができ、電気部品を跨らせて配設することができ、その電気部品の試験等を良好に行うことができる。また、３分割されたものの内の一部が劣化等した場合等には、交換を簡単に行うことができる。
【００８４】
請求項８及び９に記載の発明によれば、請求項１乃至５、請求項７の何れか一つに記載の電気部品用ソケットを配線基板上に、複数隣接して配設し、各電気部品用ソケットの各収容面部上に、長尺状の電気部品を跨らせて収容するようにしたため、長尺状の電気部品の試験等を良好に行うことができる。
【図面の簡単な説明】
【図１】この発明の実施の形態１に係るＩＣソケットを示す平面図で、カバー部材の上半分を開いた状態を示す図である。
【図２】同実施の形態１に係るＩＣソケットを示す半分を断面した正面図である。
【図３】同実施の形態１に係るコンタクトユニットを示す平面図である。
【図４】同実施の形態１に係るコンタクトユニットを示す断面図である。
【図５】同実施の形態１に係る図４のＸ部を示す拡大断面図である。
【図６】同実施の形態１に係るコンタクトピンの配設部分を示す断面図で、（ａ）は電気部品の収容前の状態を示す図、（ｂ）は電気部品の収容状態を示す図である。
【図７】同実施の形態１に係るコンタクトユニットを５個並べた状態を示す平面図である。
【図８】同実施の形態１に係る図７のＹ部を示す拡大図である。
【図９】同実施の形態１に係るコンタクトユニットのプリント配線基板への配設前の状態を示す図である。
【図１０】同実施の形態１に係るコンタクトユニットのプリント配線基板への配設後で、カバー支持部材及び係止部材の配設前の状態を示す図である。
【図１１】同実施の形態１に係るＩＣソケットのプリント配線基板への取付け後の状態を示す図である。
【図１２】同実施の形態１に係るＩＣソケットのプリント配線基板へ５個並べて配設し、カバー部材を開いた状態を示す斜視図である。
【図１３】この発明の実施の形態２に係るＩＣソケットを示す平面図で、カバー部材の上半分を開いた状態を示す図である。
【図１４】同実施の形態２に係るＩＣソケットを示す半分を断面した正面図である。
【図１５】同実施の形態２に係る分解されたＩＣソケットのプリント配線基板への取付け状態を示す図である。
【符号の説明】
１１　ＩＣソケット（電気部品用ソケット）
１３　プリント配線基板（配線基板）
１５　ソケット本体
１６　カバー部材
１８　コンタクトピン
１９　コンタクトユニット
２０　カバー支持部材
２１　係止部材
２５　フローティングプレート（収容面部）
４２　押圧部材
４２ａ　押圧部
【図１】
2004071430.tif 000003
【図２】
2004071430.tif 000004
【図３】
2004071430.tif 000005
【図４】
2004071430.tif 000006
【図５】
2004071430.tif 000007
【図６】
2004071430.tif 000008
【図７】
2004071430.tif 000009
【図８】
2004071430.tif 000010
【図９】
2004071430.tif 000011
【図１０】
2004071430.tif 000012
【図１１】
2004071430.tif 000013
【図１２】
2004071430.tif 000014
【図１３】
2004071430.tif 000015
【図１４】
2004071430.tif 000016
【図１５】
2004071430.tif 000017